(57)【要約】  ばね装置は、少なくとも１つの分散リング（１１ａ，１１ｂ）と、少なくとも１つの分散リング（１１ａ、１１ｂ）に接続された、ジグザグばね（１２）のように構成された少なくとも２つの弾性要素と、を備える。ジグザグばね要素（１２）は、ばね装置の長手軸線（Ｘ）の周りに等間隔で配置されるとともに、その長手軸線（Ｘ）に平行なそれぞれの軸線に沿って延びる。
2021522454.tif 000002
【特許請求の範囲】
【請求項１】
少なくとも１つの分散リング（１１ａ，１１ｂ）を備えるばね装置であって、
前記少なくとも１つの分散リング（１１ａ，１１ｂ）に接続された、ジグザグばね（１２）のように構成された少なくとも２つの弾性要素を備え、前記ジグザグばね要素（１２）は、ばね装置の長手軸線（Ｘ）の周りに等間隔で配置されるとともに、前記長手軸線（Ｘ）に平行なそれぞれの軸線に沿って延びることを特徴とする、ばね装置。
【請求項２】
リサイクル可能なプラスチック材料で全て作製されていることを特徴とする、請求項１に記載のばね装置。
【請求項３】
２つの荷重分散リングを備え、そのうちの１つの下部分散リング（１１ａ）およびもう１つの上部分散リング（１１ｂ）の各々が、前記ばね装置の一端に対応して配置されるとともに、前記ジグザグばね（１２）と円周方向に接続することを特徴とする、請求項１に記載のばね装置（１０）。
【請求項４】
前記分散リング（１１ａ，１１ｂ）が、互いに実質的に平行でかつ前記長手軸線（Ｘ）に直交するそれぞれの平面上にあることを特徴とする、請求項３に記載のばね装置（１０）。
【請求項５】
前記ジグザグばね（１２）が、前記下部（１１ａ）および前記上部（１１ｂ）の分散リングによって規定されるボリュームおよびサイズの円筒形リングの内側に留まるように適合されていることを特徴とする、請求項３または４に記載のばね装置。
【請求項６】
４つの弾性ジグザグばね要素（１２）を備え、それら弾性ジグザグばね要素（１２）は、相対する対になっているとともに、それらの外側部分に対応して互いに対で接続されていることを特徴とする、請求項１〜５のいずれか一項に記載のばね装置。
【請求項７】
前記ジグザグばね（１２）が、次々に配置された交互の凸面および凹面を規定する、複数の山部（１８）および谷部（１９）を有する波形プロファイルを有し、前記山部（１８）および谷部（１９）は、次々に配置された円形部分によって規定される、請求項１〜６のいずれか一項に記載のばね装置。
【請求項８】
前記ジグザグばね（１２）が１ｍｍから２．５ｍｍの間の厚さを有することを特徴とする、請求項１〜７のいずれか一項に記載のばね装置。
【請求項９】
個々の線形のジグザグばね（１２）の波の幅が５ｍｍから７ｍｍの間で構成されることを特徴とする、請求項１〜８のいずれか一項に記載のばね装置。
【請求項１０】
線形のジグザグばね（１２）と、上部（１１ｂ）および下部（１１ａ）の少なくとも一方の分散リングとが単独で得られた後に安定した態様で組み付けられることを特徴とする、請求項１〜９のいずれか一項に記載のばね装置。
【請求項１１】
前記ジグザグばね（１２）、上部の分散リング（１１ｂ）、および下部の分散リング（１１ａ）のうちの一つまたは二つ以上のものが、単一体で得られることを特徴とする、請求項１〜９のいずれか一項に記載のばね装置。
【請求項１２】
外部ケグおよび内部バッグを備えたケグ型の飲料容器用の弁アセンブリであって、
弁本体（１４）と、
支持要素（１５）と、
前記弁本体（１４）と前記支持要素（１５）との間に囲まれた、請求項１〜１１のいずれか一項に記載のばね装置（１０）と、を備えることを特徴とする、弁アセンブリ。
【請求項１３】
前記少なくとも１つの分散リング（１１ａ）が、前記ばね装置（１０）の下端に配置されるとともに、前記支持要素（１５）の内部周縁部の少なくとも２点に固定されることを特徴とする、請求項１２に記載の弁アセンブリ。
【請求項１４】
前記ばね装置（１０）が、前記支持要素（１５）に存在する座部（３０）上に載置されることを特徴とする、請求項１２または１３に記載の弁アセンブリ。
【請求項１５】
１つの荷重分散リング（１１ａまたは１１ｂ）が、前記弁アセンブリの可動シールユニット（２６）の構成要素に関連するか、または同可動シールユニット（２６）と単一体で作製されることを特徴とする、請求項１２〜１４のいずれか一項に記載の弁アセンブリ。
【請求項１６】
外部ケグおよび内部バッグを備えた飲料用のケグ型の容器であって、請求項１２〜１５のいずれか一項に記載の弁アセンブリ（２４）を備えることを特徴とする、容器。
【発明の詳細な説明】
【技術分野】
【０００１】
本発明は、例えば、飲料容器に組み込むことができる弁アセンブリに使用可能なタイプのばね装置に関し、飲料容器は、有利には使い捨てタイプであり、サポートと保護の機能を有する外部容器すなわちケグ（ｋｅｇ）と、飲料を入れるために使用される内部容器すなわちバッグという２つの同軸構成要素を有する。本発明は、優先的に、限定的ではないが、２つの同軸容器の間にガス状流体を導入することによって飲料を取り出すことを可能にする飲料分配装置に関連付けることができるばね装置および弁アセンブリに関する。
【背景技術】
【０００２】
当技術分野では、流体の流れを制御および調整するための弁アセンブリが知られている。それらの使用は、特定の使用条件下で流体の通過を選択的に許可および防止する必要があるさまざまな分野および多くの用途で広まっている。
【０００３】
流体、特に飲料用の容器も知られており、これらは、供給ステップ中に飲料を排出することを可能にするとともに飲料の供給が不要なときには容器を密閉することを可能にする弁アセンブリおよび閉鎖装置を含む。
【０００４】
これらの弁アセンブリは、一般に、流体の通過用の開口部を閉じるために、その開口部に対してつる巻きばねによって押され続けられるシャッターを含む。液体を通過させる必要がある場合は、シャッターが開口部から離間移動する。
【０００５】
問題のタイプの容器に関連する弁アセンブリ、すなわち、ディスペンサーに取り付けて同ディスペンサーと一時的に協働するのに適した弁アセンブリに関する１つの問題は、それらが達成する閉鎖およびシールである。
【０００６】
既知の解決策のさらなる欠点は、それらの弁アセンブリを備えた使用済み容器を処分するためにかなりの費用がかかることである。
廃棄のためには、現在の技術水準では、弁アセンブリの少なくとも１つの構成要素であるばね装置が一般に金属製であるので、様々な構成要素を分解する必要がある。
【０００７】
これは、ばね装置を個別にリサイクルする必要があることを意味する。これには、コンテナの分解及びばね装置の回収のためのコストや、様々な保管と様々な輸送とかなりのコストという問題を有する様々な廃棄方法が伴う。
【０００８】
さらに、金属ばねは、輸送中に、すべてのユーザーに適していない、またはユーザーが受けつけない物質を飲料に放出する可能性がある。
さらなる問題は、現在使用されているばね装置が一般につる巻きばねで作られているという事実に関連している。
【０００９】
つる巻きばねを備えたばね装置は、その構成により、材料に関係なく、いずれの場合もスラスト円周全体に均一な圧力を及ぼさず、その円周に沿って大きく異なる圧力を及ぼす。
【００１０】
これは、必要なシールを得るために、ばね装置は、円周方向の圧力の差を吸収するように、コストが増加する冗長な推力容量を持たなければならず、少なくとも１つの分散リングと協働しなければならないことを意味する。これは、推力が十分にかかっていない円周ゾーンでは、保管、販売及び内部容器内にある飲料全体の排出（ｔａｐｐｉｎｇ）にかかる時間を含め、９０〜１００日経過した後でも、所望のシールに有用かつ必要な推力を保証する必要があるためである。
【００１１】
特許文献１は、相互接続された複数のセクションを含むばね装置を記載しており、これらセクションは、隣接するセクション間の代替ジョイントに対応して接続された２つの積み重ねられた列に配置されている。
【先行技術文献】
【特許文献】
【００１２】
【特許文献１】英国特許出願公開第２４８１４６５号明細書
【発明の概要】
【発明が解決しようとする課題】
【００１３】
本発明の１つの目的は、現在の技術の不利な点の少なくともいくつかを解消するばね装置および接続された弁アセンブリを提供することにある。
別の目的は、その円周に沿って均一なスラスト圧力を保証するばね装置を提供することにある。
【００１４】
別の目的は、その弾性推力を長期間維持するばね装置であって、容器のライフサイクルの全期間にわたって、すなわち、容器が飲料で満たされて閉じられた瞬間から、飲料を完全に排出するまで、または少なくとも飲料自体の有効期限内の全期間（通常は数ヶ月間）にわたって、弁アセンブリのシールを保証するばね装置を提供することにある。
【００１５】
さらなる目的は、様々な構成要素を分解する必要なしに、容器自体と一緒にリサイクルおよび廃棄することができるばね装置および接続された弁アセンブリを提供することにある。
【００１６】
出願人は、現在の技術の欠点を克服して、上述の目的や他の目的および利点を得るために、本発明を考案し、試験し、そして具体化した。
【課題を解決するための手段】
【００１７】
本発明は、独立請求項に記載され、特徴付けられているが、従属請求項は、本発明の他の特徴または主な発明思想の変形例を説明している。
上記の問題を克服するために、出願人は、シールの円周に沿って均一な圧力を加えるのに適した、完全にプラスチック製のばね装置を考案し、試験し、そして具体化した。
【００１８】
ばね装置は、外部ドラムおよび内部バッグを備えたケグ型容器用の弁アセンブリにおいて有利に使用することができる。なぜなら、そのような容器および同容器に格納される飲料の貯蔵寿命に関して十分すぎる期間にわたって圧力を加えるのに適しているからである。
【００１９】
本発明に係るばね装置は、それ自体で、または弁アセンブリの構成要素と組み合わせてまたは連携して有効である。
本発明によれば、ばね装置は、２つの同軸部品すなわちケグを備えたプラスチック容器のリサイクルに適合したプラスチック材料でできているので、それらを廃棄する前に分解を行う必要はない。
【００２０】
さらに、使用されるプラスチックは、飲料および飲料のユーザーに対して不活性である。
本発明によれば、ばね装置は、有利には、少なくとも１つの分散リングと、ばね自体を構成する、前記分散リングに接続された線形ジグザグばねとして構成された少なくとも２つの弾性要素と、を含む。
【００２１】
いくつかの実施形態によれば、少なくとも２つのジグザグばね要素は、分散リングの中心を通過するばね装置の長手軸線の周りに等間隔で配置され、互いに平行かつ前記長手軸線に平行なそれぞれの軸線に沿って延びる。
【００２２】
改良された変形例によれば、ばね装置は、それぞれがばね装置の一端に対応して配置されて、同じジグザグばねと円周方向に接続する２つの分散リングを備える。
さらなる変形例によれば、前記分散リングは、前記長手軸線に直交する、互いに実質的に平行な平面上にある。
【００２３】
ある変更例によれば、２つのジグザグばねが存在する。
変形実施形態によれば、ばね装置のサイズおよび形態に応じて、最大８つのジグザグばねを提供することができ、それらはすべて実質的に互いに平行であり、ばね装置に対して軸方向に配置され、その長手軸線に平行である。
【００２４】
さらなる変形例によれば、ばね装置を構成する４つのジグザグばねが存在する。
別の変形例では、６つの線形ばねが存在する。
変形実施形態によれば、ばね装置の長さに応じて、様々な高さで、シールおよび機能を改善するために、２つ以上のジグザグばねを接続するための円周ブリッジが提供される。
【００２５】
さらなる変形例によれば、線形ばねはそれぞれ単独で得られ、次に互いに接続されてばね装置のばねを形成する。
さらなる変形例によれば、線形ばねは、２つの対になるように互いに直接接続されて得られる。
【００２６】
別の変形例によれば、すべてのジグザグばねは互いに接続されている。この変形例によれば、各ジグザグばねは、円周に沿って隣接して配置されたジグザグばねとの共通の接続点を有することができる。
【００２７】
１つの変形例によれば、線形ばねはそれぞれ単独で作られ、その後、分散リングに関連付けられ、構成要素は相互に安定するようになる。
さらなる変形例によれば、ジグザグばねおよび分散リングは、ばね装置を形成する単一体で得られる。
【００２８】
いくつかの実施形態によれば、複数のジグザグばねは、異なる幾何学的形状を有することができ、その結果、起伏、線形ジグザグ形状、アーチ型ジグザグ形状、正および／または負の展開を伴う連続波、またはそれらの組み合わせを有することが可能である。
【００２９】
いくつかの実施形態によれば、ジグザグばねは、次々に交互に配置されたそれぞれの凹面を規定する複数の山部と谷部とを備えたプロファイルを有する。
いくつかの実施形態によれば、山部と谷部とは、ジグザグばねの長手方向の中心線に対して反対側に延びる。
【００３０】
いくつかの実施形態によれば、山部と谷部との間の遷移区域は、それぞれのジグザグばねの長手方向の中心線に対応して配置される。
さらなる変形例によれば、山部と谷部とは、それぞれの凸面と凹面とが互いに反対になるように次々に配置された実質的に円形の形状を有する部分によって規定される。
【００３１】
さらなる変形例によれば、山部と谷部とは、規定された角度でジグザグパターンで相互に配置された実質的に線形のセグメントによって規定される。
さらなる変形例によれば、山部と谷部とは、例えば、ジグザグパターンで相互に、すなわち、その都度交互の方向に延びる曲線部分によって画定される。
【００３２】
本明細書に記載の実施形態はまた、本発明に係る弁本体およびばね装置を含む弁アセンブリに関する。
さらなる実施形態はまた、本発明に係る弁アセンブリを含む飲料容器に関する。
【００３３】
本発明の上記および他の特徴は、添付の図面を参照して非限定的な例として与えられた、いくつかの実施形態の以下の説明から明らかになる。
【図面の簡単な説明】
【００３４】
【図１】本明細書に記載の実施形態に係るばね装置の三次元図である。
【図２】図１の平面ＩＩ−ＩＩに沿った断面図である。
【図３】本明細書に記載の実施形態に係る弁アセンブリの断面図である。
【図４】本明細書に記載の実施形態に係るばね装置の変形例の断面図である。
【図５】本明細書に記載の実施形態に係るばね装置の別の変形例の断面図である。
【発明を実施するための形態】
【００３５】
理解を容易にするために、可能な場合は同じ参照番号を使用して、図面中の同一の共通要素を識別するようにしている。一実施形態の要素および特徴は、さらなる明確化をすることなく、他の実施形態に都合よく組み込むことができることが理解される。
【００３６】
ここで、本発明の様々な実施形態を詳細に参照し、その１つまたは複数の例が添付の図面に示されている。各例は、本発明の例示として提供されており、本発明の限定として理解されるべきではない。例えば、示されるかまたは説明される特徴は、その特徴が一実施形態の一部である限り、他の実施形態に採用されるか、または他の実施形態と関連して採用されて、別の実施形態を生成することができる。本発明は、そのようなすべての改変および変形を含むものとすることが理解される。
【００３７】
添付の図面を参照してここで説明する実施形態は、ばね装置１０に関する。
ばね装置１０は、排他的ではないが、有利には、外部容器すなわちドラムと、内部容器すなわちバッグと、を含む、図示されていない飲料容器すなわちケグに関連付けることができるタイプの弁アセンブリ２４で使用することができる。
【００３８】
いくつかの実施形態によれば、ばね装置１０を構成する材料は、有利には、ＰＥＴ、またはリサイクルに適合性のある他の任意のプラスチック材料である。
このようにして、ばね装置１０は、飲料容器用の弁アセンブリ２４に適用される場合、使用済みの容器の他の構成要素と一緒に破棄されてリサイクルされ得る。
【００３９】
いくつかの実施形態によれば、ばね装置１０は、少なくとも１つの分散リング１１ａ，１１ｂと、ばね自体すなわち弾性要素を構成する、分散リング１１ａ，１１ｂに接続されたジグザグばねとして構成された少なくとも２つの弾性要素１２と、を備える。
【００４０】
いくつかの実施形態によれば、ジグザグばねとして構成された少なくとも２つの弾性要素１２は、互いに独立しており、すなわち、それらは互いに接続されていない。
いくつかの実施形態によれば、ジグザグばね１２として構成された少なくとも２つの弾性要素は、分散リング１１ａ，１１ｂの中心を通過するばね装置１０の長手軸線Ｘの周りに等間隔に配置されており、互いに平行でかつ長手軸線Ｘに平行なそれぞれの軸線に沿って延びている。
【００４１】
このようにして、下部分散リング１１ａに加えられる圧縮力は、その全周に沿って実質的に均一になる。
いくつかの実施形態によれば、ばね装置１０は、下部分散リング１１ａおよび上部分散リング１１ｂの２つの分散リング１１ａ，１１ｂを備える。いくつかの実施形態によれば、ジグザグばね要素１２は、それらの端部に対応して、分散リング１１ａ，１１ｂの両方に接続されている。
【００４２】
いくつかの実施形態によれば、ジグザグばね１２および分散リング１１ａ，１１ｂが接続する区域は、下部および上部分散リング１１ａ，１１ｂのそれぞれの円周に沿って互いに実質的に整列している。すなわち、２つの分散リング１１ａ，１１ｂ上の接続区域は、水平軸に平行なそれぞれの垂直軸に沿って実質的に整列している。
【００４３】
いくつかの実施形態によれば、分散リング１１ａ，１１ｂは、互いに平行でかつ長手軸線Ｘに直交するそれぞれの平面上にある。
分散リング１１ａ，１１ｂおよびそれらの間に配置されたジグザグばね１２との適合のおかげで、本発明に係るばね装置１０は、そのライフサイクルの終わりに、動作中に依然として少なくとも１２０〜１３０Ｎを発揮することが可能であるとともに、８ｍｍから１８〜２０ｍｍまでの降伏が可能であるなど、有利である。
【００４４】
したがって、ばね装置１０は、分配装置（図示せず）に接続可能な弁アセンブリ２４用のシャッターの機能を実行することができ、いずれの場合でも、一方では、供給操作中に容器内の飲料の正確かつ完全な供給を保証し、他方では、分配装置が取り外された場合の弁アセンブリの正しい気密シールを保証する。
【００４５】
ばね装置１０は、特に、保管、輸送、ユーザーの倉庫での保管、および排出（ｔａｐｐｉｎｇ）に必要であると予想される最大時間中に許容される最小値に近い推力を維持するようにサイズ設定されている。
【００４６】
いくつかの実施形態によれば、複数のジグザグばね１２は、異なる形状に形成することができ、その結果、起伏、線形ジグザグ形状、アーチ型ジグザグ形状、正および／または負の展開を伴う連続波、またはそれらの組み合わせを有することが可能である。
【００４７】
可能な解決策によると、例えば図３に示されるように、ばね装置１０は円形断面を有し、すなわち、それは２５〜３５ｍｍ、有利には約３０ｍｍの直径を有する円筒内に入るが、ばね装置１０の用途に応じて他の互換性のあるサイズを有することもできる。
【００４８】
いくつかの実施形態によれば、ばね装置１０を規定するジグザグばね１２は、円筒形リングの内側に留まるように有利に適合され、そのサイズは、下部および上部分散リング１１ａ，１１ｂによって規定される。
【００４９】
これらの実施形態によれば、ばね装置１０は、使用中に、供給される飲料が通過することができる、実質的に円筒形の形状の内部区画室１３を備える。
いくつかの実施形態によれば、ジグザグばね１２は、それらの長手方向への展開に沿って一定の厚さを有することができる。
【００５０】
例として、個々のジグザグばね１２の厚さは、約１．５ｍｍであり得るが、１ｍｍから２．５ｍｍまで変化し得る。
いくつかの実施形態によれば、ジグザグばね１２は、次々に連続して配置された、それぞれの交互の凸面および凹面を規定する、複数の山部１８および谷部１９を有するプロファイルを有する。
【００５１】
いくつかの実施形態によれば、山部１８および谷部１９は、ジグザグばね１２の長手方向の中心線Ｍに対して両側に延びる。
いくつかの実施形態によれば、山部１８と谷部１９との間の遷移区間は、それぞれのジグザグばね１２の長手方向の中心線Ｍに対応して配置される。
【００５２】
いくつかの実施形態によれば、山部１８の間のピッチＰ、および谷部１９の間のピッチＰは、それぞれ、約１５ｍｍから約２０ｍｍの間で構成することができる。
図２を参照して説明されたいくつかの実施形態によれば、ジグザグばね１２は、連続する円周によって規定される波状の形態を有する。すなわち、山部１８および谷部１９は、連続して交互に配置される実質的に円形の部分によって規定される。
【００５３】
一例として、山部１８および谷部１９を規定する波の直径は、５ｍｍから７ｍｍの間、有利には約６ｍｍで構成することができる。
与えられた例では、山部１８を規定する４つの波と、谷部１９を規定する３つの波と、それぞれの分散リング１１ａ，１１ｂに単一体となるように固定された２つの半波部と、が存在する。
【００５４】
さらなる変形例によれば、円部分の代わりに、互いに反転して続く実質的に同一の湾曲したプロファイルからなる波部を得ることが可能である。
１つの変形例によれば、湾曲したプロファイルを使用する代わりに、実質的に同一の、異なる長さおよび／または幅を有するプロファイルも使用することができる。
【００５５】
図５に例として示されている１つの変形例によると、ジグザグばね１２の形状は、互いに連続的に続くアーチ型セグメントで得られる。
図４に例として示されている１つの変形例によると、ジグザグばね１２は、それぞれの端部で互いに接続している、反対方向に傾斜した線形セグメントで形成されている。
【００５６】
１つの変形例によれば、可能な補強が、アーチ型セグメント間および／または傾斜セグメント間の接続点に提供される。
可能な実施形態によれば、ばね装置１０は、２つのジグザグばね１２を有する。これらの実施形態によれば、これらのジグザグばね１２は、それぞれの対向する山部１８および谷部１９で、長手軸線Ｘに関して互いに対して１８０度で配置することができる。
【００５７】
言うまでもなく、３つ以上の単一のジグザグばね１２、例えば６つがあり得、それらは単一体で得られ、次いで前記分散リング１１ａ，１１ｂと一体化されてばね装置１０を形成することができる。
【００５８】
変形実施形態によれば、ばね装置１０のサイズおよび形態に応じて、最大８つのジグザグばね１２を提供することができ、それらはそれぞれの軸線に沿って延びており、同軸線は実質的に互いに平行であるとともに、ばね装置１０に対して軸方向に配置され、かつその長手軸線Ｘに平行である。
【００５９】
例えば図１〜図４を参照して説明された実施形態によれば、ばね装置１０を構成する４つのジグザグばね１２があり、それらは２つの相対する対である。
さらなる実施形態によれば、４つのジグザグばね１２は、長手軸線Ｘを通過する長手方向平面に関して対称的に配置されている。
【００６０】
いくつかの実施形態によれば、４つのジグザグばね１２は、単一の外側波部としても機能する外側接続ブリッジ２２によって、それぞれの隣接する山部１８に対応して対になるように接続されている。
【００６１】
いくつかの実施形態によれば、ジグザグばね１２は、それらの長手方向への展開に沿って実質的に一定の幅を有する。
変形実施形態によれば、ジグザグばね１２は、例えば、外側接続ブリッジ２２によって影響を受ける区域において、それらの長手方向への展開に沿って可変幅を有する。
【００６２】
いくつかの実施形態によれば、ばね装置１０は、弁アセンブリ２４のシャッター要素として機能するのに適した上側部分２３を備える。
いくつかの実施形態によれば、上側部分２３は、円錐台の形状を有する。
【００６３】
いくつかの実施形態によれば、弁アセンブリ２４は、排出すべき飲料のための通路開口２５（図３に破線で示される）と、使用中に通路開口２５を選択的に開閉するように構成される可動シールユニット２６と、を備える。
【００６４】
いくつかの実施形態によれば、可動シールユニット２６は、少なくとも部分的に形状が一致する雄型構成要素２７および雌型構成要素２８を備えることができ、これらは、通路開口２５を閉じるために互いに結合することができる。
【００６５】
いくつかの実施形態によれば、ばね装置１０の上側部分２３は、雄型構成要素２７として作製することができ、雌型構成要素２８は、弁アセンブリ２４の弁本体１４内に提供することができる。
【００６６】
いくつかの実施形態によれば、ばね装置１０は成型によって作製することができ、その成型に用いられる金型は、ばね装置１０の内部区画室１３、および、ばね装置１０と一体である場合の上側部分２３に適合する、図示されていない雄型円筒体を有する。
【００６７】
いくつかの実施形態によれば、上部分散リング１１ｂは、使用時に外側に面する表面に、円周方向に展開する少なくとも１つのリブ３２を有する。
いくつかの実施形態によれば、２つ以上の円周リブ３２を、場合によっては互いに同心円状に設けることができる。
【００６８】
いくつかの実施形態によれば、リブ３２は、以下に説明するように、弁アセンブリ２４に設けられたシール要素３５と協働して、弁アセンブリ２４の気密シールを保証することができる。
【００６９】
本明細書で説明される実施形態はまた、閉鎖装置（図示せず）の助けを借りて、容器すなわちケグに関連付けられる弁アセンブリ２４に関する。
弁アセンブリ２４は、弁本体１４、支持要素１５、および、弁本体１４と支持要素１５との間に囲まれたばね装置１０を備える。
【００７０】
いくつかの実施形態によれば、弁本体１４および支持要素１５はそれぞれ、ばね装置１０の少なくとも一部を収容するのに適した空洞１６，１７を備える。
いくつかの実施形態によれば、弁本体１４および支持要素１５はそれぞれ、それら２つの構成要素の安定した結合を規定しかつそれらの間に配置されたばね装置１０を圧縮状態に維持するのに適した嵌合結合部材２０，２１を備えている。
【００７１】
いくつかの実施形態によれば、結合部材２０，２１は、同じ形状、スナップイン、バヨネット結合部材などから選択することができるので、特定のツールの使用は必要ない。
いくつかの実施形態によれば、結合部材２０，２１は、それぞれの空洞１６，１７を区切る弁本体１４および支持要素１５のそれぞれの縁部に対応して配置される。
【００７２】
いくつかの実施形態によれば、結合部材２０，２１は、弁本体１４の外面および支持要素１５の内面にそれぞれ対応して配置されることができ、弁本体１４が支持要素１５の空洞１７内に部分的に挿入される。
【００７３】
図示されていない可能な変形例によれば、結合部材２０，２１は、弁本体１４の内壁および支持要素１５の外壁に対応して提供されることができ、その結果、支持要素１５が弁本体１４の空洞１６内に部分的に挿入される。
【００７４】
いくつかの実施形態によれば、結合部材２０，２１は、雌型環状凹部２０および雄型環状アタッチメント２１を含む。
図３の例では、ばね装置１０は、使用中、それぞれの結合部材２０，２１によって弁本体１４に固定された、取り外し可能な支持要素１５のベース２９上に置かれる。
【００７５】
一変形例によれば、支持体の代わりに、支持要素１５は、内部円周取付溝を備えた座部３０を有することができ、下部分散リング１１ａは、例えば弾性的に、内部円周取付溝内の周辺に固定される。
【００７６】
さらなる変形実施形態によれば、切れ目またはスリット４４を支持要素１５の側壁に形成することができ、これは、支持要素１５の内面へのアクセスを可能にして、例えば紫外線、赤外線、洗浄液等によって同内面を洗浄および消毒できるように構成されている。
【００７７】
図３を参照して説明した実施形態によれば、弁本体１４は、剛性プラスチック材料のベース本体と、互いに一体的に結合された柔らかくて柔軟なプラスチック材料で作られた複数のガスケット３５，３６，３７と、を備える。
【００７８】
図３を参照すると、弁本体１４は、上部環状部分３４、中間据え付け壁３１すなわちプレート、および下部延長部４０を備える。
据え付け壁３１には、シール蓋４２および雌型構成要素２８が設けられる。
【００７９】
シール蓋４２は、より薄い厚さの据え付け壁３１の中央部分によって規定され、これは、分配装置が最初に挿入されたときに据え付け壁３１から分離されるように構成される。
いくつかの実施形態によれば、シール蓋４２はその下部において、雄型構成要素２７上に、すなわちばね装置１０の上側部分２３上に形成された環状凹部３９に挿入されるのに適した環状突起３８を有する。
【００８０】
このようにして、分配装置がシール蓋４２を押して、それを据え付け壁３１から分離させるとき、シール蓋４２自体がばね装置１０に固定されて、雄型構成要素２７の一部となる。
【００８１】
分配装置が取り外されると、ばね装置１０の弾性圧縮力がばね装置１０を伸ばそうとして、雄型構成要素２７、したがってそれに接続されたシール蓋４２が雌型構成要素３８および据え付け壁３１と結合するようになり、通路開口２５を閉じる。
【００８２】
上部環状部分３４は、接続要素３３によって据え付け壁３１に接続されている。
いくつかの実施形態によれば、接続要素３３は、上部環状部分３４と中間据え付け壁３１との間で、通過スリット４１と交互になっている。
【００８３】
いくつかの実施形態によれば、接続要素３３は、上部環状部分３４および据え付け壁３１の円周に沿って等間隔に配置されている。
接続要素３３は、分配装置への接続に必要なリブまたは隆起を有することができる。
【００８４】
いくつかの実施形態によれば、弁本体１４は、使用中に、２つの構成要素からなる容器の内部構成要素と協働するのに適した、下部延長部４０に対して外側でかつ同軸の環状当接壁４３をさらに備える。
【００８５】
いくつかの実施形態によれば、ガスケット３５，３６，３７は、上部環状部分３４に関連する上部ガスケット３５、据え付け壁３１に関連する内部ガスケット３６、および環状支持部２０に関連する側面ガスケット３７のいずれか１つまたは複数を含む。
【００８６】
可能な解決策によれば、上部ガスケット３５はＬ字形断面を有し、上部環状部分３４から半径方向に展開する第１のセグメント３５ａと、据え付け壁３１に向かって第１のセグメント３５ａに対して交差する方向に展開する第２のセグメント３５ｂと、を含む。
【００８７】
可能な解決策によれば、側面ガスケット３７は、当接壁４３に関連付けられ、当接壁４３の外周全体にわたって延在し、その結果、使用中に、各点で内部容器の内面と接触する。
【００８８】
いくつかの実施形態によれば、下部ガスケット５２は環状形状を有し、雌型構成要素２８によって規定される通路開口２５の周りの据え付け壁３１に関連付けられている。
いくつかの実施形態によれば、図示されるケースでは、上部分散リング１１ｂは、雄型構成要素２７、すなわちばね装置１０の上側部分２３と協働する。さらに、上部分散リング１１ｂはまた、その円周延長部分において、図示のケースでは、弁本体１４の据え付け壁３１に関連する内部ガスケット３６と協働する平坦な弁としても機能する。
【００８９】
上部分散リング１１ｂ上の円周リブ３２は、提供される場合、上部分散リング１１ｂと内部ガスケット３６との間のシールを促進および安定化することができる。
例示がばね装置１０と一体の雄型構成要素２７を示しているとしても、実際には、前記ばね装置１０の変形例として、雌型構成要素２８が一体であってもよく、可動シールアセンブリ２６の雄型構成要素２７が弁本体１４に取り付けられてもよい。
【００９０】
本発明の精神において、雄型構成要素２７または場合によっては雌型構成要素２８と、ばね装置１０とは、別々に得られた後に組み立てられる２つの個別の要素として形成される。
【００９１】
いくつかの実施形態によれば、下部延長部４０のサイズ（内径および長さ）は、ばね装置１０の要件と相関している。
図３に示されるケースでは、下部延長部４０は、内部容器（図示せず）のネックと協働する側面ガスケット３７を支持する環状当接壁４３の内径よりも小さい外径を有する。
【００９２】
ばね装置１０の要件がそれを必要とする場合、弁本体１４の下部延長部４０の外形サイズもまた、環状当接壁４３の外径に近似するか、または同一であり得る。
本発明の分野および範囲から逸脱することなく、これまでに説明したように、ばね装置１０および弁アセンブリ２４に対して部品の改変および／または追加を行うことができることは明らかである。
【００９３】
本発明はいくつかの特定の例を参照して説明されてきたが、当業者は確かに、請求項に記載されている特徴を有し、従ってすべてが請求項によって定義された保護の分野に含まれる、他の多くの同等の形態のばね装置１０および弁アセンブリ２４を達成することができなければならないことも明らかである。
【図１】
2021522454.tif 000003
【図２】
2021522454.tif 000004
【図３】
2021522454.tif 000005
【図４】
2021522454.tif 000006
【図５】
2021522454.tif 000007
【国際調査報告】
2021522454.tif 000008
2021522454.tif 000009